(57)【要約】【課題】ネジを回して締め付けることなく、蓋部を閉じたまま蓋部を固定することができ、踏段軸への踏段の取付作業の効率を向上させることができる乗客コンベアの踏段の口金を得る。【解決手段】踏段４に設けられ、踏段４の軌道に沿って循環移動する踏段チェーン２に取り付けられた踏段軸３を把持する口金５であって、受部６ａとこの受部６ａに対して回動可能に設けられ表面に係合部１５が形成された蓋部６ｃとを有し、蓋部６ｃが閉じたときに受部６ａおよび蓋部６ｃにより踏段軸３を囲う口金本体７と、蓋部６ｃに接触可能にもうけられ、蓋部６ｃが閉じたときに係合部１５と係合する被係合部１６が表面に形成されたブラケット部８とを備え、係合部１５および被係合部１６は、蓋部６ｃが開く方向に回動することを規制するラチェット機構を構成している。【選択図】図４
2009067576.tif 000002
【特許請求の範囲】
【請求項１】
踏段に設けられ、前記踏段の軌道に沿って循環移動する循環移動体に取り付けられた踏段軸を把持する乗客コンベアの踏段の口金であって、
受部とこの受部に対して回動可能に設けられ表面に係合部が形成された蓋部とを有し、前記蓋部が閉じたときに前記受部および前記蓋部により前記踏段軸を囲う口金本体と、
前記蓋部に接触可能にもうけられ、前記蓋部が閉じたときに前記係合部と係合する被係合部が表面に形成されたブラケット部とを備え、
前記係合部および前記被係合部は、前記蓋部が開く方向に回動することを規制するラチェット機構を構成していることを特徴とする乗客コンベアの踏段の口金。
【請求項２】
前記ブラケット部は、前記被係合部が前記係合部から離間する方向に回動可能であることを特徴とする請求項１に記載の乗客コンベアの踏段の口金。
【請求項３】
前記ブラケット部に設けられ、前記被係合部が前記係合部に近づく方向に前記ブラケット部を付勢した弾性体を備えたことを特徴とする請求項２に記載の乗客コンベアの踏段の口金。
【発明の詳細な説明】
【技術分野】
【０００１】
この発明は、踏段に設けられ、踏段の軌道に沿って循環移動する循環移動体に設けられた踏段軸を把持する乗客コンベアの踏段の口金に関する。
【背景技術】
【０００２】
従来、踏段に設けられ、前記踏段の軌道に沿って循環移動する踏段リンクに取り付けられた踏段軸を把持する口金であって、受部とこの受部に対して回動可能に設けられた蓋部とを有し、前記蓋部を閉じたときに前記受部および前記蓋部により前記踏段軸を囲う口金本体と、前記口金本体に設けられ、前記蓋部が閉じたまま前記蓋部を固定するネジとを備えたエスカレータの踏段の口金が知られている（例えば、特許文献１参照）。
【０００３】
【特許文献１】実開昭６２−２０３１７５号公報
【発明の開示】
【発明が解決しようとする課題】
【０００４】
しかしながら、このものの場合、踏段を踏段軸に取り付けるために、口金本体により踏段軸を囲った後、蓋部を固定するためにネジを回して締め付けなければならず、取付作業の効率が悪いという問題点があった。
【０００５】
この発明は、上述のような問題点を解決することを課題とするものであって、その目的は、ネジを回して締め付けることなく、蓋部を閉じたまま蓋部を固定することができるので、踏段軸への踏段の取付作業の効率を向上させることができる乗客コンベアの踏段の口金を提供するものである。
【課題を解決するための手段】
【０００６】
この発明に係る乗客コンベアの踏段の口金は、踏段に設けられ、前記踏段の軌道に沿って循環移動する循環移動体に取り付けられた踏段軸を把持する口金であって、受部とこの受部に対して回動可能に設けられ表面に係合部が形成された蓋部とを有し、前記蓋部が閉じたときに前記受部および前記蓋部により前記踏段軸を囲う口金本体と、前記蓋部に接触可能にもうけられ、前記蓋部が閉じたときに前記係合部と係合する被係合部が表面に形成されたブラケット部とを備え、前記係合部および前記被係合部は、前記蓋部が開く方向に回動することを規制するラチェット機構を構成している。
【発明の効果】
【０００７】
この発明に係る乗客コンベアの踏段の口金によれば、ネジを回して締め付けることなく、蓋部を閉じたまま蓋部を固定することができるので、踏段軸への踏段の取付作業の効率を向上させることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はエスカレータ１を示す斜視図、図２は図１の踏段４および周辺部材を示した斜視図、図３は図２の踏段軸３、口金５および踏段４を示す側面図、図４は図３の口金５の要部拡大図、図５は図４の口金５を示す正面図である。
乗客コンベアであるエスカレータ１は、乗降口間を循環移動する踏段４の軌道に沿って循環移動する一対の循環移動体である踏段チェーン２と、この一対の踏段チェーン２間に渡って取り付けられ踏段チェーン２とともに循環移動する複数の踏段軸３と、それぞれの踏段軸３に口金５を介して取り付けられ踏段チェーン２および踏段軸３とともに循環移動する踏段４とを備えている。
【０００９】
実施の形態１に係るエスカレータ１の踏段４の口金５は、踏段４の踏板９の反踏面側に設けられ踏段軸３を把持する口金５であって、受部６ａとこの受部６ａに対して回動軸６ｂを中心に回動可能な蓋部６ｃとを有した口金本体７と、蓋部６ｃに接触可能に設けられたブラケット部８とを備えている。
【００１０】
受部６ａは、断面円弧状に形成されており、外周面が踏板９側を向くように配置されている。
蓋部６ｃは、断面円弧状に形成されており、基端部が回動軸６ｂに固定され、内周面が踏板側９を向くように配置されている。
これにより、蓋部６ｃが閉じると、受部６ａと蓋部６ｃとが円筒形状になり、口金本体７が踏段軸３を囲うことができる。
また、蓋部６ｃには、先端部の外周面に係合部１５が形成されている。
回動軸６ｂには、レバー１０が固定されており、このレバー１０を回動させることで、蓋部６ｃが連動して回動する。
【００１１】
ブラケット部８は、一端部に平板状に形成され踏板９と対向するようにして配置された平板部８ａと、他端部に断面円弧状に形成され蓋部６ｃの係合部１５と接触可能な円弧部８ｂとを有している。
円弧部８ｂの内周面には、蓋部６ｃの係合部１５と係合可能な被係合部１６が形成されている。
ブラケット部８には、中間部に回動軸８ｃが設けられており、シーソー回動することができる。
ブラケット部８の平板部８ａには、弾性体であるバネ１１が取り付けられており、このバネ１１により、ブラケット部８は円弧部８ｂが蓋部６ｃの先端部に近づく方向に付勢され、ブラケット部８の平板部８ａは反バネ１１側に設けられたストッパ１２に当接している。
【００１２】
蓋部６ｃの係合部１５およびブラケット部８の被係合部１６は、蓋部６ｃが開く方向に回動することを規制するラチェット機構を構成している。
【００１３】
ブラケット部８の平板部８ａと対向した踏板９には、踏板９を貫通した貫通孔９ａが形成されている。この貫通孔９ａに押棒１３を通し、この押棒１３の先端部を平板部８ａの踏板９側の面に設けられた弾性の樹脂からなる押棒受部１４に当接させ、押棒１３を押し込むことにより、ブラケット部８がシーソー回動し、ブラケット部８の円弧部８ｂが蓋部６ｃの先端部から離間して、係合部１５と被係合部１６との係合が解除される。
押棒受部１４が弾性の樹脂であるので、押棒１３が当接したときの異音の発生を抑制し、さらに、押棒１３との滑りを抑制することができる。
なお、押棒受部１４は、樹脂に限らず、その他の材料であってもよい。
【００１４】
次に、実施の形態１に係るエスカレータ１の踏段４の口金５を用いて踏段４を踏段軸３に取り付ける手順について説明する。
図６は、口金５を用いて踏段４を踏段軸３に取り付ける様子を示す説明図である。
まず、口金本体７の内部に踏段軸３が入るようにして、踏段４を踏段軸３に配置する。
次に、踏段軸３に当接したレバー１０が回動されて、蓋部６ｃを回動させ、蓋部６ｃの係合部１５とブラケット部８の被係合部１６とのラチェット機構を係合させる。このとき、バネ１１により、ブラケット部８の円弧部８ｂは、蓋部６ｃの先端部に近づく方向に付勢されているので、蓋部６ｃの係合部１５とブラケット部８の被係合部１６とのラチェット機構は確実に係合している。
その結果、口金５が踏段軸３を把持するので、簡単に踏段４を踏段軸３に固定することができる。
【００１５】
次に、口金５を用いて踏段４を踏段軸３から取り外す手順について説明する。
図７は、口金５を用いて踏段４を踏段軸３から取り外す様子を示す説明図である。
まず、踏板９に形成された貫通孔９ａに押棒１３を通し、この押棒１３の先端部をブラケット部８の平板部８ａに設けられた押棒受部１４に当接する。
次に、この押棒１３をバネ１１の付勢力に逆らって押し込むと、ブラケット部８は円弧部８ｂが蓋部６ｃの先端部から離間する方向にシーソー回動する。
ブラケット部８の円弧部８ｂと蓋部６ｃの先端部とが離間するので、蓋部６ｃの係合部１５とブラケット部８の被係合部１６とのラチェット機構の係合が解除され、蓋部６ｃは自重により開く。
その結果、口金５による踏段軸３の把持が解除されるので、簡単に踏段軸３から踏段４を取り外すことができる。
【００１６】
以上説明したように、実施の形態１に係るエスカレータ１の踏段４の口金５よれば、踏段軸３を閉じ込める蓋部６ｃの係合部１５およびブラケット部８の被係合部１６は、蓋部６ｃが開く方向に回動することを規制するラチェット機構を構成しているので、簡単に、口金５に踏段軸３を把持させて、踏段４を踏段軸３に取り付けることができる。
【００１７】
また、ブラケット部８の円弧部８ｂが蓋部６ｃの先端部から離間する方向に、ブラケット部８は回動可能であるので、簡単に、蓋部６ｃの係合部１５とブラケット部８の被係合部１６とのラチェット機構の係合を解除して、蓋部６ｃを開き、踏段軸３から踏段４を取り外すことができる。
【００１８】
また、ブラケット部８には、平板部８ａに円弧部８ｂが蓋部６ｃの先端部に近づく方向に付勢したバネ１１が取り付けられているので、踏段軸３に踏段４を取り付けるときには、蓋部６ｃの係合部１５とブラケット部８の被係合部１６とのラチェット機構を確実に係合させることができ、踏段軸３から踏段４を取り外すときには、バネ１１の付勢力に逆らってブラケット部８を回動させて、簡単に、蓋部６ｃの係合部１５とブラケット部８の被係合部１６とのラチェット機構の係合を解除することができる。
【００１９】
なお、上記実施の形態１では、弾性体としてバネ１１を例に説明したが、勿論このものに限らず、その他の弾性体であってもよい。
【００２０】
また、上記実施の形態１では、循環移動体として踏段チェーン２を例に説明したが、勿論このものに限らず、例えば、踏段リンクであってもよい。
【図面の簡単な説明】
【００２１】
【図１】エスカレータを示す斜視図である。
【図２】図１の踏段を拡大した斜視図である。
【図３】図２の踏段軸と口金と踏段とを示す側面図である。
【図４】図３の口金を示す要部拡大図である。
【図５】図４の口金を示す正面図である。
【図６】口金を用いて踏段を踏段軸に取り付ける様子を示す説明図である。
【図７】口金を用いて踏段を踏段軸から取り外す様子を示す説明図である。
【符号の説明】
【００２２】
１  エスカレータ、２  踏段チェーン（循環移動体）、３  踏段軸、４  踏段、５  口金、６ａ  受部、６ｂ  回動軸、６ｃ  蓋部、７  口金本体、８  ブラケット部、８ａ  平板部、８ｂ  円弧部、８ｃ  回動軸、９  踏板、９ａ  貫通孔、１０  レバー、１１  バネ、１２  ストッパ、１３  押棒、１４  押棒受部、１５  係合部、１６  被係合部。
【図１】
2009067576.tif 000003
【図２】
2009067576.tif 000004
【図３】
2009067576.tif 000005
【図４】
2009067576.tif 000006
【図５】
2009067576.tif 000007
【図６】
2009067576.tif 000008
【図７】
2009067576.tif 000009